【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
構造：
【化２００】
2012500867.tif 000001
（式中、
Ｍは、金属原子であり、
【化２０１】
2012500867.tif 000002
は、多座配位子を含み、
【化２０２】
2012500867.tif 000003
は、前記多座配位子につながった１つまたは複数の活性化部分を表し、
【化２０３】
2012500867.tif 000004
は、リンカー部分を表し、ｍは、リンカー部分上に存在するＺ基の数を表し、１から４の間の整数（１と４も含む）であり、各（Ｚ）は、
【化２０４】
2012500867.tif 000005
【化２０５】
2012500867.tif 000006
（式中、Ｒ１、Ｒ２およびＲ３は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つ以上のＲ１、Ｒ２およびＲ３基は、介在する原子と一緒になって、１つまたは複数の追加のヘテロ原子を場合によって含有する、１つまたは複数の場合によって置換されている環を形成することができ、
Ｒ４’は、水素、ヒドロキシル、場合によって置換されているＣ１〜２０脂肪族であり、Ｒ５は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ５基は、Ｒ１またはＲ２基と一緒になって、１つまたは複数の場合によって置換されている環を形成することができ、
Ｒ７は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ７基は、Ｒ５基と一緒になって、１つまたは複数のヘテロ原子を場合によって含有する、１つまたは複数の場合によって置換されている環を形成することができ、
Ｒ７’は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つのＲ７’基は、介在する原子と一緒になって、１つまたは複数のヘテロ原子を場合によって含有する、１つまたは複数の場合によって置換されている環を形成することができ、Ｒ７’基は、Ｒ１またはＲ２基と一緒になって、１つまたは複数のヘテロ原子を場合によって含有する、１つまたは複数の場合によって置換されている環を形成することができ、
Ｒ８、Ｒ９およびＲ１０は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、任意の２つ以上のＲ８、Ｒ９およびＲ１０基は、介在する原子と一緒になって、１つまたは複数の場合によって置換されている環を形成することができ、
Ｒ１１は、出現するたびに、独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙ；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルからなる群から選択され、Ｒｙは、出現するたびに、独立して、水素、場合によって置換されているＣ１〜６脂肪族基、および場合によって置換されているアリール基からなる群から選択され、２つ以上の隣接するＲ１１基は、一緒になって、０〜４個のヘテロ原子を含有する、場合によって置換されている飽和、部分的に不飽和、または芳香族の５から１２員の環を形成することができ、
Ｘは、アニオンであり、
環Ａは、窒素、酸素または硫黄から独立して選択される０〜４個の追加のヘテロ原子を有する、場合によって置換されている５から１０員のヘテロアリール基であり、
ただし、
Ｚが、
【化２０６】
2012500867.tif 000007
である場合、環Ａは、イミダゾール、オキサゾールおよびチアゾールではなく、
【化２０７】
2012500867.tif 000008
が、
【化２０８】
2012500867.tif 000009
であり、ここで、
【化２０９】
2012500867.tif 000010
が、−ＣＨ２−である場合、Ｚは、
【化２１０】
2012500867.tif 000011
ではない）からなる群から独立して選択される活性化官能基である）
を有する重合触媒を用いて、エポキシドと二酸化炭素とを接触させるステップを含む方法。
【手続補正２】
【補正対象書類名】明細書
【補正対象項目名】００６０
【補正方法】変更
【補正の内容】
【００６０】
本明細書で使用する場合、「活性化部分」という用語は、１つまたは複数の活性化官能基を含む部分を指す。特定の実施形態では、活性化部分は、金属錯体の触媒活性を改善する。一部の実施形態では、そのような改善した触媒活性は、活性化部分のない金属錯体と比較して、出発物質のより高い変換を特徴とする。一部の実施形態では、そのような改善した触媒活性は、活性化部分のない金属錯体と比較して、出発物質のより高い変換率を特徴とする。一部の実施形態では、そのような改善した触媒活性は、活性化部分のない金属錯体と比較して、生成物のより高い収率を特徴とする。
本発明は、例えば以下の項目を提供する。
（項目１）
構造：
【化２００】
2012500867.tif 000012
（式中、
Ｍは、金属原子であり、
【化２０１】
2012500867.tif 000013
は、多座配位子を含み、
【化２０２】
2012500867.tif 000014
は、前記多座配位子につながった１つまたは複数の活性化部分を表し、
【化２０３】
2012500867.tif 000015
は、リンカー部分を表し、ｍは、リンカー部分上に存在するＺ基の数を表し、１から４の間の整数（１と４も含む）であり、各（Ｚ）は、
【化２０４】
2012500867.tif 000016
【化２０５】
2012500867.tif 000017
（式中、Ｒ１、Ｒ２およびＲ３は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つ以上のＲ１、Ｒ２およびＲ３基は、介在する原子と一緒になって、１つまたは複数の追加のヘテロ原子を場合によって含有する、１つまたは複数の場合によって置換されている環を形成することができ、
Ｒ４’は、水素、ヒドロキシル、場合によって置換されているＣ１〜２０脂肪族であり、Ｒ５は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ５基は、Ｒ１またはＲ２基と一緒になって、１つまたは複数の場合によって置換されている環を形成することができ、
Ｒ７は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ７基は、Ｒ５基と一緒になって、１つまたは複数のヘテロ原子を場合によって含有する、１つまたは複数の場合によって置換されている環を形成することができ、
Ｒ７’は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つのＲ７’基は、介在する原子と一緒になって、１つまたは複数のヘテロ原子を場合によって含有する、１つまたは複数の場合によって置換されている環を形成することができ、Ｒ７’基は、Ｒ１またはＲ２基と一緒になって、１つまたは複数のヘテロ原子を場合によって含有する、１つまたは複数の場合によって置換されている環を形成することができ、
Ｒ８、Ｒ９およびＲ１０は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、任意の２つ以上のＲ８、Ｒ９およびＲ１０基は、介在する原子と一緒になって、１つまたは複数の場合によって置換されている環を形成することができ、
Ｒ１１は、出現するたびに、独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙ；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルからなる群から選択され、Ｒｙは、出現するたびに、独立して、水素、場合によって置換されているＣ１〜６脂肪族基、および場合によって置換されているアリール基からなる群から選択され、２つ以上の隣接するＲ１１基は、一緒になって、０〜４個のヘテロ原子を含有する、場合によって置換されている飽和、部分的に不飽和、または芳香族の５から１２員の環を形成することができ、
Ｘは、アニオンであり、
環Ａは、窒素、酸素または硫黄から独立して選択される０〜４個の追加のヘテロ原子を有する、場合によって置換されている５から１０員のヘテロアリール基であり、
ただし、
Ｚが、
【化２０６】
2012500867.tif 000018
である場合、環Ａは、イミダゾール、オキサゾールおよびチアゾールではなく、
【化２０７】
2012500867.tif 000019
が、
【化２０８】
2012500867.tif 000020
であり、ここで、
【化２０９】
2012500867.tif 000021
が、−ＣＨ２−である場合、Ｚは、
【化２１０】
2012500867.tif 000022
ではない）からなる群から独立して選択される活性化官能基である）
を有する重合触媒を用いて、エポキシドと二酸化炭素とを接触させるステップを含む方法。
（項目２）
Ｍが、Ｃｒ、Ｍｎ、Ｖ、Ｆｅ、Ｃｏ、Ｍｏ、Ｗ、Ｒｕ、ＡｌおよびＮｉからなる群から選択される、項目１に記載の方法。
（項目３）
Ｍが、Ｃｏ、ＡｌおよびＣｒからなる群から選択される、項目１に記載の方法。
（項目４）
Ｍが、Ｃｏである、項目１に記載の方法。
（項目５）
Ｍが、Ｃｒである、項目１に記載の方法。
（項目６）
Ｍが、Ａｌである、項目１に記載の方法。
（項目７）
前記
【化２１１】
2012500867.tif 000023
の部分が、少なくとも１個の炭素原子を含む１〜３０個の原子と、場合によって、Ｎ、Ｏ、Ｓ、Ｓｉ、ＢおよびＰからなる群から選択される１つまたは複数の原子とを含有する、項目１に記載の方法。
（項目８）
前記
【化２１２】
2012500867.tif 000024
の部分が、Ｃ２〜３０脂肪族基であり、１つまたは複数のメチレン単位は、場合によっておよび独立して、−ＮＲｙ−、−Ｎ（Ｒｙ）Ｃ（Ｏ）−、−Ｃ（Ｏ）Ｎ（Ｒｙ）−、−Ｏ−、−Ｃ（Ｏ）−、−ＯＣ（Ｏ）−、−Ｃ（Ｏ）Ｏ、−Ｓ−、−Ｓｉ（Ｒｙ）２−、−ＳＯ−、−ＳＯ２−、−Ｃ（＝Ｓ）−、−Ｃ（＝ＮＲｙ）−、または−Ｎ＝Ｎ−で置き換えられており、Ｒｙは、出現するたびに、独立して、−Ｈであるか、またはＣ１〜６脂肪族、３から７員の複素環、フェニルおよび８から１０員のアリールからなる群から選択される、場合によって置換されているラジカルである、項目１に記載の方法。
（項目９）
前記
【化２１３】
2012500867.tif 000025
の部分が、
【化２１４】
2012500867.tif 000026
（式中、
Ｓ＝０〜６であり、ｔ＝１〜４であり、
＊は、前記配位子への結合部位を表し、各＃は、活性化官能基の結合部位を表す）からなる群から選択される、項目１に記載の方法。
（項目１０）
前記
【化２１５】
2012500867.tif 000027
の部分が、四座配位子を含む、項目１に記載の方法。
（項目１１）
前記
【化２１６】
2012500867.tif 000028
の部分が、２つの二座配位子を含む、項目１に記載の方法。
（項目１２）
前記四座配位子が、サレン誘導体、サラン配位子の誘導体、ビス−２−ヒドロキシベンズアミド誘導体、Ｔｒｏｓｔ配位子の誘導体、ポルフィリン誘導体、テトラベンゾポルフィリン配位子の誘導体、コロール配位子の誘導体、フタロシアニネート誘導体、およびジベンゾテトラメチルテトラアザ［１４］アヌレン（ｔｍｔａａ）誘導体からなる群から選択される、項目１０に記載の方法。
（項目１３）
前記四座配位子が、
【化２１７】
2012500867.tif 000029
（式中、
Ｒ２ａおよびＲ２ａ’は、独立して
【化２１８】
2012500867.tif 000030
の基、水素、−ＯＲ、−ＮＲ２、−ＳＲ、−ＣＮ、−ＮＯ２、−ＳＯ２Ｒ、−ＳＯＲ、−ＳＯ２ＮＲ２；−ＣＮＯ、−ＮＲＳＯ２Ｒ、−ＮＣＯ、−Ｎ３、−ＳｉＲ３であるか；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、
Ｒ１ａ、Ｒ１ａ’、Ｒ３ａおよびＲ３ａ’は、独立して、
【化２１９】
2012500867.tif 000031
の基、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、［Ｒ２ａ’およびＲ３ａ’］、［Ｒ２ａおよびＲ３ａ］、［Ｒ１ａおよびＲ２ａ］ならびに［Ｒ１ａ’およびＲ２ａ’］のうちのいずれかは、場合によって、介在する原子と一緒になって、１つまたは複数の環を形成してもよく、この環は、１つまたは複数のＲｄ基で置換されていてもよく、
Ｒｄは、出現するたびに、独立して、
【化２２０】
2012500867.tif 000032
の基、水素、ハロゲン、−ＯＲ、−ＮＲ２、−ＳＲ、−ＣＮ、−ＮＯ２、−ＳＯ２Ｒ、−ＳＯＲ、−ＳＯ２ＮＲ２；−ＣＮＯ、−ＮＲＳＯ２Ｒ、−ＮＣＯ、−Ｎ３、−ＳｉＲ３であるか；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つ以上のＲｄ基が、介在する原子と一緒になって、１つまたは複数のヘテロ原子を場合によって含有する、１つまたは複数の場合によって置換されている環を形成することができ、
Ｒ４ｂは、
【化２２１】
2012500867.tif 000033
（式中、
Ｒｃは、出現するたびに、独立して
【化２２２】
2012500867.tif 000034
の基、水素、ハロゲン、−ＯＲ、−ＮＲ２、−ＳＲ、−ＣＮ、−ＮＯ２、−ＳＯ２Ｒ、−ＳＯＲ、−ＳＯ２ＮＲ２；−ＣＮＯ、−ＮＲＳＯ２Ｒ、−ＮＣＯ、−Ｎ３、−ＳｉＲ３であるか；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；窒素、酸素もしくは硫黄から独立して選択される、１〜５個のヘテロ原子を有する、８から１０員の二環式ヘテロアリール環からなる群から選択される、場合によって置換されているラジカルであり、２つ以上のＲｃ基が、これらが結合している炭素原子および任意の介在する原子と一緒になって、１つまたは複数の場合によって置換されている環を形成してもよく、２つのＲｃ基が同じ炭素原子に結合している場合、これらの基は、これらが結合している炭素原子と共に、場合によって一緒になって、３から８員のスピロ環式環、カルボニル、オキシム、ヒドラゾンおよびイミンからなる群から選択される、場合によって置換されている部分を形成してもよく、
Ｒは、出現するたびに、独立して、水素であるか、またはアシル；Ｃ１〜６脂肪族；Ｃ１〜６ヘテロ脂肪族；カルバモイル；アリールアルキル；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される、１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される、１〜５個のヘテロ原子を有する、８から１０員の二環式ヘテロアリール環；酸素保護基；および窒素保護基からなる群から選択される、場合によって置換されているラジカルであり、同じ窒素原子上の２つのＲ基は、場合によって、一緒になって、場合によって置換されている３から７員の環を形成することができ、
Ｘは、エポキシドの開環が可能な求核剤であり、
Ｙは、−ＮＲ−、−Ｎ（Ｒ）Ｃ（Ｏ）−、−Ｃ（Ｏ）ＮＲ−、−Ｏ−、−Ｃ（Ｏ）−、−ＯＣ（Ｏ）−、−Ｃ（Ｏ）Ｏ−、−Ｓ−、−ＳＯ−、−ＳＯ２−、−ＳｉＲ２−、−Ｃ（＝Ｓ）−、−Ｃ（＝ＮＲ）−、または−Ｎ＝Ｎ−；ポリエーテル；Ｃ３からＣ８置換もしくは非置換の炭素環；およびＣ１からＣ８置換もしくは非置換の複素環からなる群から選択される二価のリンカーであり、
ｍ’は、０または１から６の整数（１と６も含む）であり、
ｍ’は、０または１から４の整数（１と４も含む）であり、
ｑは、０または１から４の整数（１と４も含む）であり、
ｘは、０、１または２である）からなる群から選択される）
からなる群から選択される、項目１０に記載の方法。
（項目１４）
【化２２３】
2012500867.tif 000035
が、
【化２２４】
2012500867.tif 000036
を含む、項目１３に記載の方法。
（項目１５）
【化２２５】
2012500867.tif 000037
が、
【化２２６】
2012500867.tif 000038
を含む、項目１４に記載の方法。
（項目１６）
前記重合触媒が、
【化２２７】
2012500867.tif 000039
（式中、
Ｒ４ａ、Ｒ４ａ’、Ｒ５ａ、Ｒ５ａ’、Ｒ６ａ、Ｒ６ａ’、Ｒ７ａおよびＲ７ａ’は、それぞれ独立して、
【化２２８】
2012500867.tif 000040
の基、水素、ハロゲン、−ＯＲ、−ＮＲ２、−ＳＲ、−ＣＮ、−ＮＯ２、−ＳＯ２Ｒ、−ＳＯＲ、−ＳＯ２ＮＲ２；−ＣＮＯ、−ＮＲＳＯ２Ｒ、−ＮＣＯ、−Ｎ３、−ＳｉＲ３であるか；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される、１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、［Ｒ１およびＲ４ａ］、［Ｒ１’およびＲ４ａ’］ならびに任意の２つ以上の隣接するＲ４ａ、Ｒ４ａ’、Ｒ５ａ、Ｒ５ａ’、Ｒ６ａ、Ｒ６ａ’、Ｒ７ａおよびＲ７ａ’基は、場合によって、介在する原子と一緒になって、１つまたは複数の場合によって置換されている環を形成することができ、
ｎは、０または１から８の整数（１と８も含む）であり、
ｐは、０または１から４の整数（１と４も含む）であり、
この中で、少なくとも置換基は、
【化２２９】
2012500867.tif 000041
の基である）
を含む、項目１５に記載の方法。
（項目１７）
前記重合触媒が、
【化２３０】
2012500867.tif 000042
からなる群から選択される、項目１５に記載の方法。
（項目１８）
前記重合触媒が、
【化２３１】
2012500867.tif 000043
からなる群から選択される、項目１６に記載の方法。
（項目１９）
各Ｒ４ａ、Ｒ４ａ’、Ｒ５ａ、Ｒ５ａ’、Ｒ６ａ、Ｒ６ａ’、Ｒ７ａおよびＲ７ａ’が、独立して、−Ｈ、場合によって置換されているＣ１〜２０脂肪族、場合によって置換されているフェニルおよび場合によって置換されている８から１０員のアリールからなる群から選択される、項目１８に記載の方法。
（項目２０）
各Ｒ４ａ、Ｒ４ａ’、Ｒ６ａおよびＲ６ａ’が、−Ｈである、項目１８に記載の方法。
（項目２１）
各Ｒ４ａ、Ｒ４ａ’、Ｒ６ａおよびＲ６ａ’が−Ｈであり、各Ｒ５ａ、Ｒ５ａ’、Ｒ７ａおよびＲ７ａ’が、独立して、−Ｈ、または場合によって置換されているＣ１〜２０脂肪族である、項目１８に記載の方法。
（項目２２）
前記重合触媒が、
【化２３２】
2012500867.tif 000044
からなる群から選択される、項目１６に記載の方法。
（項目２３）
各Ｒ４ａ、Ｒ４ａ’、Ｒ５ａ、Ｒ５ａ’、Ｒ６ａ、Ｒ６ａ’、Ｒ７ａおよびＲ７ａ’が、独立して、−Ｈ、場合によって置換されているＣ１〜２０脂肪族、場合によって置換されているフェニルおよび場合によって置換されている８から１０員のアリールからなる群から選択される、項目２２に記載の方法。
（項目２４）
各Ｒ４ａ、Ｒ４ａ’、Ｒ６ａおよびＲ６ａ’が、−Ｈである、項目２２に記載の方法。
（項目２５）
各Ｒ４ａ、Ｒ４ａ’、Ｒ６ａおよびＲ６ａ’が−Ｈであり、各Ｒ５ａ、Ｒ５ａ’、Ｒ７ａおよびＲ７ａ’が、独立して、−Ｈ、または場合によって置換されているＣ１〜２０脂肪族である、項目２２に記載の方法。
（項目２６）
前記重合触媒の少なくとも１つのサリチルアルデヒド由来部分が、
【化２３３】
2012500867.tif 000045
からなる群から選択される、項目１６に記載の方法。
（項目２７）
前記重合触媒の少なくとも１つのサリチルアルデヒド由来部分が、
【化２３４】
2012500867.tif 000046
【化２３５】
2012500867.tif 000047
からなる群から選択される、項目１６に記載の方法。
（項目２８）
前記重合触媒の少なくとも１つのサリチルアルデヒド由来部分が、
【化２３６】
2012500867.tif 000048
【化２３７】
2012500867.tif 000049
からなる群から選択される、項目１６に記載の方法。
（項目２９）
前記重合触媒の少なくとも１つのサリチルアルデヒド由来部分が、
【化２３８】
2012500867.tif 000050
【化２３９】
2012500867.tif 000051
からなる群から選択される、項目１６に記載の方法。
（項目３０）
前記重合触媒の少なくとも１つのサリチルアルデヒド由来部分が、
【化２４０】
2012500867.tif 000052
【化２４１】
2012500867.tif 000053
からなる群から選択される、項目１６に記載の方法。
（項目３１）
１つまたは複数のＺ基が、独立して、アミン、ホスフィン、グアニジン、ビス−グアニジン、アミジンおよび窒素含有複素環からなる群から選択される中性の官能基である、項目２６から３０のいずれかに記載の方法。
（項目３２）
１つまたは複数のＺ基が、
【化２４２−１】
2012500867.tif 000054
からなる群から独立して選択される、カチオン性の部分である、項目２６から３０のいずれかに記載の方法。
（項目３３）
各リンカー部分
【化２４２−２】
2012500867.tif 000055
が、独立して、
【化２４３】
2012500867.tif 000056
（式中、ｓ＝０〜６であり、ｔ＝１〜４である）
からなる群から選択される、項目２６から３３のいずれかに記載の方法。
（項目３４）
Ｍが、コバルト、アルミニウムおよびクロムからなる群から選択される、項目２６から３３のいずれかに記載の方法。
（項目３５）
Ｍが、コバルトおよびクロムからなる群から選択される、項目２６から３３のいずれかに記載の方法。
（項目３６）
Ｍが、コバルトである、項目２６から３３のいずれかに記載の方法。
（項目３７）
Ｘが、塩素、臭素、場合によって置換されているＣ１〜１２カルボキシレート、アジド、場合によって置換されているフェノキシド、スルホネート塩、およびこれらのうちの任意の２つ以上の組合せからなる群から選択される、項目２６から３６のいずれかに記載の方法。
（項目３８）
Ｘが、クロリド、アセテート、トリフルオロアセテート、アジド、ペンタフルオロベンゾエートおよびニトロフェノレートからなる群から選択される、項目２６から３６のいずれかに記載の方法。
（項目３９）
前記重合触媒が、表１から選択される、項目１に記載の方法。
（項目４０）
前記重合触媒が、全部で１から８つのＺ基を含有する、項目１に記載の方法。
（項目４１）
前記重合触媒が、全部で１から６つのＺ基を含有する、項目１に記載の方法。
（項目４２）
前記重合触媒が、全部で１から４つのＺ基を含有する、項目１に記載の方法。
（項目４３）
前記重合触媒が、全部で２つのＺ基を含有する、項目１に記載の方法。
（項目４４）
前記重合触媒が、全部で４つのＺ基を含有する、項目１に記載の方法。
（項目４５）
少なくとも１つのＺ基が、
【化２４４】
2012500867.tif 000057
からなる群から選択される、項目１に記載の方法。
（項目４６）
少なくとも１つのＺ基が、
【化２４５】
2012500867.tif 000058
である、項目１に記載の方法。
（項目４７）
Ｒ１およびＲ２が、場合によって置換されているＣ１〜２０脂肪族である、項目４６に記載の方法。
（項目４８）
Ｒ１およびＲ２が、場合によって置換されているＣ１〜１０脂肪族である、項目４６に記載の方法。
（項目４９）
Ｒ１およびＲ２が、一緒になって、追加のヘテロ原子を場合によって含有する、場合によって置換されている環を形成する、項目４６に記載の方法。
（項目５０）
少なくとも１つのＺ基が、
【化２４６】
2012500867.tif 000059
からなる群から選択される、項目１に記載の方法。
（項目５１）
少なくとも１つのＺ基が、
【化２４７】
2012500867.tif 000060
からなる群から選択される、項目１に記載の方法。
（項目５２）
Ｒ１およびＲ２が、−Ｈまたは場合によって置換されているＣ１〜２０脂肪族である、項目５１に記載の方法。
（項目５３）
Ｒ１およびＲ２が、−Ｈまたは場合によって置換されているＣ１〜１０脂肪族である、項目５１に記載の方法。
（項目５４）
Ｒ５が、−Ｈまたは場合によって置換されているＣ１〜１０脂肪族である、項目５１に記載の方法。
（項目５５）
２つ以上のＲ１、Ｒ２およびＲ５が、一緒になって、追加のヘテロ原子を場合によって含有する、場合によって置換されている環を形成する、項目５１に記載の方法。
（項目５６）
少なくとも１つのＺ基が、
【化２４８】
2012500867.tif 000061
からなる群から選択される、項目１に記載の方法。
（項目５７）
少なくとも１つのＺ基が、
【化２４９】
2012500867.tif 000062
からなる群から選択される、項目１に記載の方法。
（項目５８）
Ｒ１、Ｒ１’、Ｒ１’’、Ｒ２、Ｒ２’およびＲ３が、独立して、−Ｈまたは場合によって置換されているＣ１〜２０脂肪族である、項目５７に記載の方法。
（項目５９）
Ｒ１、Ｒ１’、Ｒ１’’、Ｒ２、Ｒ２’およびＲ３が、独立して、−Ｈまたは場合によって置換されているＣ１〜１０脂肪族である、項目５７に記載の方法。
（項目６０）
２つ以上のＲ１、Ｒ１’、Ｒ１’’、Ｒ２、Ｒ２’およびＲ３が、一緒になって、追加のヘテロ原子を場合によって含有する、１つまたは複数の場合によって置換されている環を形成する、項目５７に記載の方法。
（項目６１）
少なくとも１つのＺ基が、
【化２５０】
2012500867.tif 000063
からなる群から選択される、項目１に記載の方法。
（項目６２）
少なくとも１つのＺ基が、
【化２５１】
2012500867.tif 000064
である、項目１に記載の方法。
（項目６３）
Ｒ１、Ｒ１’、Ｒ１’’、Ｒ２およびＲ２’が、独立して、−Ｈまたは場合によって置換されているＣ１〜２０脂肪族である、項目６２に記載の方法。
（項目６４）
Ｒ１、Ｒ１’、Ｒ１’’、Ｒ２およびＲ２’が、独立して、−Ｈまたは場合によって置換されているＣ１〜１０脂肪族である、項目６２に記載の方法。
（項目６５）
２つ以上のＲ１、Ｒ１’、Ｒ１’’、Ｒ２およびＲ２’が、一緒になって、追加のヘテロ原子を場合によって含有する、１つまたは複数の場合によって置換されている環を形成する、項目６２に記載の方法。
（項目６６）
少なくとも１つのＺ基が、
【化２５２】
2012500867.tif 000065
からなる群から選択される、項目１に記載の方法。
（項目６７）
少なくとも１つのＺ基が、
【化２５３】
2012500867.tif 000066
からなる群から選択される、項目１に記載の方法。
（項目６８）
前記エポキシドが、式：
【化２５４】
2012500867.tif 000067
（式中、Ｒａ’は、水素であるか、またはＣ１〜３０脂肪族；Ｃ１〜３０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、
各Ｒｂ’、Ｒｃ’およびＲｄ’は、独立して、水素であるか、またはＣ１〜１２脂肪族；Ｃ１〜１２ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、
（Ｒａ’およびＲｃ’）、（Ｒｃ’およびＲｄ’）、ならびに（Ｒａ’およびＲｂ’）のいずれかは、介在する原子と一緒になって、１つまたは複数の場合によって置換されている環を形成することができる）
を有する、項目１に記載の方法。
（項目６９）
形成されたポリマーが、
【化２５５】
2012500867.tif 000068
からなる群から選択される式を有する、項目６８に記載の方法。
（項目７０）
Ｒｂ’、Ｒｃ’およびＲｄ’が、それぞれ水素である、項目６８に記載の方法。
（項目７１）
Ｒａ’が、場合によって置換されているＣ１〜１２脂肪族である、項目６８に記載の方法。
（項目７２）
前記エポキシドが、エチレンオキシド、プロピレンオキシド、ブチレンオキシド、シクロヘキセンオキシド、１，２オクテンオキシド、３−ビニルシクロヘキセンオキシド、エピクロロヒドリンおよびこれらのうちの任意の２つ以上の混合物からなる群から選択される、項目１に記載の方法。
（項目７３）
前記エポキシドが、エチレンオキシド、プロピレンオキシド、またはシクロヘキセンオキシドである、項目１に記載の方法。
（項目７４）
前記エポキシドが、プロピレンオキシドである、項目１に記載の方法。
（項目７５）
ＣＯ２圧が、約５０から８００ｐｓｉの間である、項目１に記載の方法。
（項目７６）
触媒のエポキシドに対する比が、約１：１０００から約１：１００，０００の間である、項目１に記載の方法。
（項目７７）
所望のポリマー分子量が達成されるまで重合を進行させるステップと、重合反応をクエンチするステップと、ポリマーを単離するステップとをさらに含む、項目１に記載の方法。
（項目７８）
構造：
【化２５６】
2012500867.tif 000069
（式中、
Ｍは、金属原子であり、
【化２５７】
2012500867.tif 000070
は、多座配位子を含み、
【化２５８】
2012500867.tif 000071
は、前記多座配位子につながった、１つまたは複数の活性化部分を表し、この中で、
【化２５９】
2012500867.tif 000072
は、リンカー部分を表し、ｍは、リンカー部分上に存在するＺ基の数を表し、１から４の間の整数（１と４も含む）であり、各（Ｚ）は、
【化２６０】
2012500867.tif 000073
【化２６１】
2012500867.tif 000074
（（式中、Ｒ１、Ｒ２およびＲ３は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つ以上のＲ１、Ｒ２およびＲ３基は、介在する原子と一緒になって、１つまたは複数の追加のヘテロ原子を場合によって含有する、１つまたは複数の場合によって置換されている環を形成することができ、
Ｒ４’は、水素、ヒドロキシル、場合によって置換されているＣ１〜２０脂肪族であり、Ｒ５は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ５基は、Ｒ１またはＲ２基と一緒になって、１つまたは複数の場合によって置換されている環を形成することができ、
Ｒ７は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、Ｒ７基は、Ｒ５基と一緒になって、１つまたは複数のヘテロ原子を場合によって含有する、１つまたは複数の場合によって置換されている環を形成することができ、
Ｒ７’は、出現するたびに、独立して、水素、ヒドロキシル保護基であるか、またはＣ１〜２０アシル；Ｃ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、２つのＲ７’基は、介在する原子と一緒になって、１つまたは複数のヘテロ原子を場合によって含有する、１つまたは複数の場合によって置換されている環を形成することができ、Ｒ７’基は、Ｒ１またはＲ２基と一緒になって、１つまたは複数のヘテロ原子を場合によって含有する、１つまたは複数の場合によって置換されている環を形成することができ、
Ｒ８、Ｒ９およびＲ１０は、出現するたびに、独立して、水素であるか、またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、任意の２つ以上のＲ８、Ｒ９およびＲ１０基は、介在する原子と一緒になって、１つまたは複数の場合によって置換されている環を形成することができ、
Ｒ１１は、出現するたびに、独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙ；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルからなる群から選択され、Ｒｙは、出現するたびに、独立して、水素、場合によって置換されているＣ１〜６脂肪族、および場合によって置換されているアリール基からなる群から選択され、２つ以上の隣接するＲ１１基は、一緒になって、０〜４個のヘテロ原子を含有する、場合によって置換されている飽和、部分的に不飽和、または芳香族の５から１２員の環を形成することができ、
Ｘは、アニオンであり、
環Ａは、窒素、酸素または硫黄から独立して選択される０〜４個の追加のヘテロ原子を有する、場合によって置換されている５から１０員のヘテロアリール基であり、
ただし、
Ｚが、
【化２６２】
2012500867.tif 000075
である場合、
環Ａは、イミダゾール、オキサゾールおよびチアゾールではなく、
【化２６３】
2012500867.tif 000076
が、
【化２６４】
2012500867.tif 000077
であり、ここで、
【化２６５】
2012500867.tif 000078
が、−ＣＨ２−である場合、
Ｚは、
【化２６６】
2012500867.tif 000079
ではない）
からなる群から独立して選択される活性化官能基である）
を有する重合触媒。
（項目７９）
【化２６７】
2012500867.tif 000080
が、
【化２６８】
2012500867.tif 000081
を含む、項目７８に記載の重合触媒。
（項目８０）
【化２６９】
2012500867.tif 000082
が、
【化２７０】
2012500867.tif 000083
を含む、項目７９に記載の重合触媒。
（項目８１）
【化２７１】
2012500867.tif 000084
（式中、
Ｒ４ａ、Ｒ４ａ’、Ｒ５ａ、Ｒ５ａ’、Ｒ６ａ、Ｒ６ａ’、Ｒ７ａ、およびＲ７ａ’は、それぞれ独立して、
【化２７２】
2012500867.tif 000085
の基、水素、ハロゲン、−ＯＲ、−ＮＲ２、−ＳＲ、−ＣＮ、−ＮＯ２、−ＳＯ２Ｒ、−ＳＯＲ、−ＳＯ２ＮＲ２；−ＣＮＯ、−ＮＲＳＯ２Ｒ、−ＮＣＯ、−Ｎ３、−ＳｉＲ３であるか；またはＣ１〜２０脂肪族；Ｃ１〜２０ヘテロ脂肪族；フェニル；３から８員の飽和もしくは部分的に不飽和の単環式炭素環；７〜１４個の炭素の、飽和、部分的に不飽和もしくは芳香族の多環式炭素環；窒素、酸素もしくは硫黄から独立して選択される、１〜４個のヘテロ原子を有する、５から６員の単環式ヘテロアリール環；窒素、酸素もしくは硫黄から独立して選択される１〜３個のヘテロ原子を有する、３から８員の飽和もしくは部分的に不飽和の複素環式環；窒素、酸素もしくは硫黄から独立して選択される１〜５個のヘテロ原子を有する、６から１２員の多環式の飽和もしくは部分的に不飽和の複素環；または窒素、酸素もしくは硫黄から独立して選択される１〜５個のヘテロ原子を有する、８から１０員の二環式ヘテロアリール環からなる群から選択される、場合によって置換されているラジカルであり、［Ｒ１およびＲ４ａ］、［Ｒ１’およびＲ４ａ’］ならびに任意の２つ以上の隣接するＲ４ａ、Ｒ４ａ’、Ｒ５ａ、Ｒ５ａ’、Ｒ６ａ、Ｒ６ａ’、Ｒ７ａおよびＲ７ａ’基は、介在する原子と一緒になって、１つまたは複数の場合によって置換されている環を形成することができ、
ｎは、０または１から８の整数（１と８も含む）であり、
ｐは、０または１から４の整数（１と４も含む）であり、
この中で、少なくとも置換基は、
【化２７３】
2012500867.tif 000086
の基である）
からなる群から選択される構造を有する、項目８０に記載の重合触媒。
（項目８２）
【化２７４】
2012500867.tif 000087
からなる群から選択される構造を有する、項目８０に記載の重合触媒。
（項目８３）
【化２７５】
2012500867.tif 000088
からなる群から選択される構造を有する、項目８２に記載の重合触媒。
（項目８４）
各Ｒ４ａ、Ｒ４ａ’、Ｒ５ａ、Ｒ５ａ’、Ｒ６ａ、Ｒ６ａ’、Ｒ７ａおよびＲ７ａ’が、独立して、−Ｈ、場合によって置換されているＣ１〜２０脂肪族、場合によって置換されているフェニル、および場合によって置換されている８から１０員のアリールからなる群から選択される、項目８３に記載の重合触媒。
（項目８５）
各Ｒ４ａ、Ｒ４ａ’、Ｒ６ａおよびＲ６ａ’が、−Ｈである、項目８３に記載の重合触媒。
（項目８６）
各Ｒ４ａ、Ｒ４ａ’、Ｒ６ａおよびＲ６ａ’が−Ｈであり、各Ｒ５ａ、Ｒ５ａ’、Ｒ７ａおよびＲ７ａ’が、独立して、−Ｈまたは場合によって置換されているＣ１〜２０脂肪族である、項目８３に記載の重合触媒。
（項目８７）
【化２７６】
2012500867.tif 000089
からなる群から選択される、項目８３に記載の重合触媒。
（項目８８）
各Ｒ４ａ、Ｒ４ａ’、Ｒ５ａ、Ｒ５ａ’、Ｒ６ａ、Ｒ６ａ’、Ｒ７ａおよびＲ７ａ’が、独立して、−Ｈ、場合によって置換されているＣ１〜２０脂肪族、場合によって置換されているフェニル、および場合によって置換されている８から１０員のアリールからなる群から選択される、項目８７に記載の重合触媒。
（項目８９）
各Ｒ４ａ、Ｒ４ａ’、Ｒ６ａおよびＲ６ａ’が、−Ｈである、項目８７に記載の重合触媒。
（項目９０）
各Ｒ４ａ、Ｒ４ａ’、Ｒ６ａおよびＲ６ａ’が、−Ｈであり、各Ｒ５ａ、Ｒ５ａ’、Ｒ７ａおよびＲ７ａ’が、独立して、−Ｈまたは場合によって置換されているＣ１〜２０脂肪族である、項目８７に記載の重合触媒。
（項目９１）
前記重合触媒の少なくとも１つのサリチルアルデヒド由来部分が、
【化２７７】
2012500867.tif 000090
からなる群から選択される、項目８１に記載の重合触媒。
（項目９２）
前記重合触媒の少なくとも１つのサリチルアルデヒド由来部分が、
【化２７８】
2012500867.tif 000091
【化２７９】
2012500867.tif 000092
からなる群から選択される、項目８１に記載の重合触媒。
（項目９３）
前記重合触媒の少なくとも１つのサリチルアルデヒド由来部分が、
【化２８０】
2012500867.tif 000093
【化２８１】
2012500867.tif 000094
からなる群から選択される、項目８１に記載の重合触媒。
（項目９４）
前記重合触媒の少なくとも１つのサリチルアルデヒド由来部分が、
【化２８２】
2012500867.tif 000095
【化２８３】
2012500867.tif 000096
からなる群から選択される、項目８１に記載の重合触媒。
（項目９５）
前記重合触媒の少なくとも１つのサリチルアルデヒド由来部分が、
【化２８４】
2012500867.tif 000097
【化２８５】
2012500867.tif 000098
からなる群から選択される、項目８１に記載の重合触媒。
（項目９６）
１つまたは複数のＺ基が、独立して、アミン、ホスフィン、グアニジン、ビス−グアニジン、アミジンおよび窒素含有複素環から選択される中性の官能基である、項目９１から９５のいずれかに記載の重合触媒。
（項目９７）
１つまたは複数のＺ基が、
【化２８６】
2012500867.tif 000099
からなる群から独立して選択されるカチオン性の部分である、項目９１から９５のいずれかに記載の重合触媒。
（項目９８）
各リンカー部分
【化２８７】
2012500867.tif 000100
が、独立して、
【化２８８】
2012500867.tif 000101
（式中、ｓ＝０〜６であり、ｔ＝１〜４である）
からなる群から選択される、項目９１から９５のいずれかに記載の重合触媒。
（項目９９）
Ｍが、コバルト、アルミニウムおよびクロムからなる群から選択される、項目９１から９８のいずれかに記載の重合触媒。
（項目１００）
Ｍが、コバルトおよびクロムからなる群から選択される、項目９１から９８のいずれかに記載の重合触媒。
（項目１０１）
Ｍが、コバルトである、項目９１から９８のいずれかに記載の重合触媒。
（項目１０２）
Ｘが、塩素、臭素、場合によって置換されているＣ１〜１２カルボキシレート、アジド、場合によって置換されているフェノキシド、スルホネート塩、およびこれらのうちの任意の２つ以上の組合せからなる群から選択される、項目９１から１０１のいずれかに記載の重合触媒。
（項目１０３）
前記触媒金属錯体が、表１の中のものから選択される構造を有する、項目８３に記載の重合触媒。
（項目１０４）
表１の中のものから選択される構造を有する、項目７９に記載の重合触媒。
（項目１０５）
表２の中のものから選択される構造を有する、項目７９に記載の重合触媒。